(57)【特許請求の範囲】
【請求項１】
固定枠に固着される枠ケース、及び扉体に連結される取付プレート、並びに該取付プレートと一体となって前記枠ケースの所定面上を前後方向に摺動し、前記固定枠に対し扉体を前記前後方向に移動可能にする調整プレートを備え、前記枠ケースの穿設孔に回動自在に緩嵌される円筒部材と、前記前後方向に対し垂直方向に穿設された前記調整プレートの作動孔に嵌挿される作動ピンと、これら円筒部材及び作動ピンを連結するアームとを有するクランク部材を備え、前記作動孔と作動ピンとの間の相対運動を阻止し、前記円筒部材を回動する場合に前記相対運動を可能にする静止機構を備えてなることを特徴とする扉開閉装置。
【請求項２】
固定枠に固着される枠ケース、及び扉体に連結される取付プレート、並びに該取付プレートと一体となって前記枠ケースの所定面上を前後方向に摺動し、前記固定枠に対し扉体を前記前後方向に移動可能にする調整プレートを備え、その側面に立設された円筒部材が前記枠ケースの穿設孔に回動自在に緩嵌される調整ピニオンと、前記調整プレートに歯刻され、前記調整ピニオンに噛合して前記前後方向に移動する調整ラックとで構成される歯車機構を備え、前記調整ピニオンと調整ラックとの間の相対運動を阻止し、前記調整ピニオンを回動する場合に前記相対運動を可能にする静止機構を備えてなることを特徴とする扉開閉装置。
【請求項３】
固定枠に固着される枠ケース、及び扉体に連結される取付プレート、並びに該取付プレートと一体となって前記枠ケースの所定面上を前後方向に摺動し、前記固定枠に対し扉体を前記前後方向に移動可能にする調整プレートを備え、該調整プレートの穿設孔に回動自在に緩嵌される円筒部材と、該円筒部材にその回転軸に偏心して突設され、前記前後方向に対し垂直方向に穿設された前記枠ケースの作動孔に嵌挿される作動ピンとを有するクランク部材を備え、前記作動孔と作動ピンとの間の相対運動を阻止し、前記円筒部材を回動する場合に前記相対運動を可能にする静止機構を備えてなることを特徴とする扉開閉装置。
【請求項４】
固定枠に固着される枠ケース、及び扉体に連結される取付プレート、並びに該取付プレートと一体となって前記枠ケースの所定面上を前後方向に摺動し、前記固定枠に対し扉体を前記前後方向に移動可能にする調整プレートを備え、その側面に立設された円筒部材が前記枠ケースの穿設孔に回動自在に嵌挿される調整ピニオンと、その側面に立設された作動ピンが、前記前後方向に対し垂直方向をなす前記調整プレートのスリットを介して、前記前後方向に対し所定角方向をなす前記枠ケースの作動孔に嵌挿されるとともに、前記調整ピニオンに噛合する歯形が前記所定角方向に形成される調整ラックとで構成される歯車機構を備えてなることを特徴とする扉開閉装置。
【請求項５】
固定枠に固着される枠ケース、及び扉体に連結される取付プレート、並びに該取付プレートと一体となって前記枠ケースの所定面上を前後方向に摺動し、前記固定枠に対し扉体を前記前後方向に移動可能にする調整プレートを備え、その側面に立設された円筒部材が前記枠ケースの穿設孔に回動自在に嵌挿される調整ピニオンと、その側面に立設された作動ピンが、前記前後方向に対し垂直方向をなす前記調整プレートの作動孔に嵌挿されるとともに、前記調整ピニオンに噛合する歯形が、前記調整ピニオンを包囲するように前記前後方向に対し所定角方向に穿設された穿設溝の溝壁に形成される調整ラックとで構成される歯車機構を備えてなることを特徴とする扉開閉装置。
【請求項６】
前記静止機構は、前記枠ケースの穿設孔から突出する前記円筒部材の一端に一体に形成された歯付き部と、前記枠ケースの穿設孔周りに形成され、前記歯付き部に係合する凹部と、前記円筒部材の外周に配設され、前記歯付き部を前記枠ケースの凹部に押圧させる付勢手段とからなることを特徴とする請求項１又は２に記載の扉開閉装置。
【請求項７】
前記静止機構は、前記枠ケースの作動孔から突出する前記作動ピンの一端に一体に形成された歯付き部と、前記枠ケースの作動孔周りに形成され、前記歯付き部に係合する凹部と、前記作動ピンの外周に配設され、前記歯付き部を前記枠ケースの凹部に押圧させる付勢手段とからなることを特徴とする請求項３に記載の扉開閉装置。
【発明の詳細な説明】
【０００１】
【発明の属する技術分野】
本発明は、家具等に設けられる扉体を開閉するための扉開閉装置に関し、特に、扉体の前後方向（扉体の厚み方向）の建て付け調整を容易にする扉開閉装置に関する。
【０００２】
【従来の技術】
この扉開閉装置は、家具や建具等に設けられるもので、家具等の固定枠及び扉体に取り付けて、扉体を自在に開閉するために不可欠な装置である。かかる装置は、固定枠側の第１係合部材、及び扉体側の第２係合部材、並びにこれらを連結するヒンジ部材で構成され、これらが協働することによって、扉体を自在開閉させることができる。そして、扉体を自在に、且つスムースに開閉することができるように、第１係合部材及び第２係合部材は、固定枠及び扉体にそれぞれ位置決めして固着される。
しかしながら、これらを位置決めして固着させても、建て付けの際、扉体が固定枠に対しうまく建て付けされない場合があり、これを調整する必要がある。
【０００３】
かかる調整のうち、固定枠に対する扉体の前後方向の調整について、従来から行われている方法を説明する。ここで、前後方向とは、上述のように扉体の厚み方向を言い、図１６〜１８の矢印Ａ１，Ｂ１方向である。
このような方法を実現する装置に特開平８−２１１４３に開示されているものがある。
この装置の一つは、図１６に示すように、固定枠１００に取り付けられる羽根板（第１係合部材）１０１、及び扉体１０２に取付板（第２係合部材）１０３を介して取り付けられる羽根板（第２係合部材）１０４を備え、羽根板１０１及び１０４の端部（ヒンジ部材を兼ねる）をそれぞれ筒状に丸めて連接し、これら筒状内に軸ピン（ヒンジ部材）１０５を挿入してなるものである。この装置においては、予め、取付板１０３に形成された凹部１０６に板カム１０７を嵌挿配置させる一方、板カム１０７の回転軸１０８が羽根板１０４に形成された嵌挿孔１０９に嵌挿されており、羽根板１０４を固定ねじ１１０で取付板１０３に本締めする前に、回転軸１０８をドライバなどの工具（図示せず）で回転して取付板１０３に対する羽根板１０４の位置を調節することで、固定枠１００に対する扉体１０２の前後方向の調整を行うことができる。但し、図１６（Ａ）は、当該装置の分解斜視図、同図（Ｂ）は、同図（Ａ）の取付板の正面図である。
また、他の装置として、図１７に示すようなものがあり、これは、取付板１０３に対する羽根板１０４の位置を調節する場合に、取付板１０３の凹部１２０にクランク１２１を嵌挿させる一方、このクランク１２１の先端に形成された作用部１２２が凹部１２０に形成された係止凹部１２３に嵌挿係止されており、羽根板１０４を固定ねじ１１０で取付板１０３に本締めする前に、羽根板１０４の嵌挿孔１０９に嵌挿されたクランク１２１の回転軸１２４をドライバなどの工具（図示せず）で回転して、取付板１０３に対する羽根板１０４の位置を調節することで、固定枠１００に対する扉体１０２の前後方向の調整を行うことができるようにしたものである。但し、図１７（Ａ）は、当該装置の分解斜視図、同図（Ｂ）は、同図（Ａ）の取付板の正面図である。
また更に、他の装置として、図１８に示すようなものがあり、これは、取付板１０３に対する羽根板１０４の位置を調節する場合に、取付板１０３の凹部１３０にピニオンギヤ１３１を配置する一方、このピニオンギヤ１３１が凹部１３０に形成されたラック１３２に噛み合わされており、羽根板１０４を固定ねじ１１０で取付板１０３に本締めする前に、羽根板１０４の嵌挿孔１０９に嵌挿されたピニオンギヤ１３１の回転軸１３３をドライバなどの工具（図示せず）で回転して、取付板１０３に対する羽根板１０４の位置を調節することで、固定枠１００に対する扉体１０２の前後方向の調整を行うことができるようにしたものである。但し、図１８（Ａ）は、当該装置の分解斜視図、同図（Ｂ）は、同図（Ａ）の取付板の正面図である。
尚、図１６〜１８において、同一部材には同一符号が付されている。
【０００４】
【発明が解決しようとする課題】
しかしながら、このような調整を行う従来装置にあっては、当該調整が完了した後、羽根板を取付板に固定する前、或いは固定している最中に、羽根板を介して付与される扉体等の重量により、例えば、上述した図１６の例で言えば、取付板と板カムとの間にすべりが生じ、取付板に対する羽根板の調整位置に狂いが生じてしまうために、板カムの回転軸をドライバなどの工具で回転させて調整を行い、当該調整が完了した後で羽根板を取付板に固定したところで調整通りの建て付けができないことがある。
ところで、上述した図１８のピニオンギヤとラックを用いて調節する例において、ピニオンギヤをラックに向けて付勢させる板ばね（同図中の符号１３４）が開示されており、かかる板ばねは、ピニオンギヤの回転力をラックに確実に伝達する目的で配設されたものと考えられるが、多少ともピニオンギヤとラックとの間のすべりを防止する機能、即ち、取付板に対する羽根板の調整位置に狂いが生じるのを防止する機能をも有すると推察できる。
【０００５】
本発明の目的は、固定枠に対する扉体の前後方向の建て付け調整において、調整通りの建て付けができる扉開閉装置を提供することにある。
【０００６】
【課題を解決するための手段】
前記課題を解決するために、本発明の請求項１に係る扉開閉装置は、固定枠に固着される枠ケース、及び扉体に連結される取付プレート、並びにこの取付プレートと一体となって枠ケースの所定面上を前後方向に摺動し、固定枠に対し扉体を前後方向に移動可能にする調整プレートを備え、そして、枠ケースの穿設孔に回動自在に緩嵌される円筒部材と、前後方向に対し垂直方向に穿設された調整プレートの、例えば長円形状の作動孔に嵌挿される作動ピンと、これら円筒部材及び作動ピンを連結するアームとを有するクランク部材を備え、しかも、作動孔と作動ピンとの間の相対運動を阻止し、円筒部材を回動する場合には作動孔と作動ピンとの相対運動を可能にする静止機構を備えており、かかる装置によれば、クランク部材の円筒部材をドライバ等で回動し、固定枠に対し扉体を前後方向に移動させて調整しているときには静止機構の作動が解除され、調整が完了したら当該静止機構が作動して作動孔と作動ピンとの間の相対運動を阻止し、阻止した状態下で調整プレートを固定枠にビス等で固定できるようにしているために、調整通りに建て付けができる。
上記静止機構は、クランク部材の円筒部材を回動させているときは、上述の阻止状態が解除されるようなものであればよく、しかし、簡便なものが好ましい。例えば、後述するような請求項６に係る構成のものが好ましい。
尚、上記クランク部材は、上述のように第１係合部材を構成する固定枠側の枠ケース、取付プレート及び調整プレート間に介在させるものに限らず、第２係合部材を構成する扉体側のそれらに介在させるようにしたものであってもよいことは言うまでもない。
ところで、本装置は、枠ケース、取付プレート及び調整プレートの所謂三重構造をなしており、このような三重構造をなすものにおいては、ここでは言及しないが、前後方向の調整のみならず左右方向（扉体の横幅方向）の調整のための部材をも組み込める利点を有する。
【０００７】
また、本発明の請求項２に係る扉開閉装置は、固定枠に固着される枠ケース、及び扉体に連結される取付プレート、並びに取付プレートと一体となって枠ケースの所定面上を前後方向に摺動し、固定枠に対し扉体を前後方向に移動可能にする調整プレートを備え、そして、その一方の側面に円筒部材が立設された調整ピニオンであって、その円筒部材の一端が枠ケースの穿設孔に回動自在に緩嵌されるものと、上記調整プレートに歯刻される調整ラックであって、当該調整ピニオンに噛合して前後方向に移動するものとで構成される歯車機構を備え、しかも、調整ピニオンと調整ラックとの間の相対運動を阻止し、調整ピニオンを回動する場合にその相対運動を可能にする静止機構を備えており、かかる装置によれば、調整ピニオンの円筒部材をドライバ等で回動し、固定枠に対し扉体を前後方向に移動させて調整しているときには静止機構の作動が解除され、調整が完了したら当該静止機構が作動して調整ピニオンと調整ラックとの間の相対運動を阻止し、阻止した状態下で調整プレートを固定枠にビス等で固定できるようにしているために、調整通りに建て付けができる。
当該静止機構は、上述と同様に簡便なものが好ましく、後述するような請求項６に係る構成のものが好ましい。
【０００８】
また、本発明の請求項３に係る扉開閉装置は、固定枠に固着される枠ケース、及び扉体に連結される取付プレート、並びに取付プレートと一体となって枠ケースの所定面上を前後方向に摺動し、固定枠に対し扉体を前後方向に移動可能にする調整プレートを備え、そして、調整プレートの穿設孔に回動自在に緩嵌される円筒部材と、当該円筒部材にその回転軸に偏心して突設され、前後方向に対し垂直方向に穿設された枠ケースの、例えば長円形状の作動孔に嵌挿される作動ピンとを有するクランク部材を備え、しかも、作動孔と作動ピンとの間の相対運動を阻止し、円筒部材を回動する場合に作動孔と作動ピンとの間の相対運動を可能にする静止機構を備えており、かかる装置によれば、クランク部材の円筒部材をドライバ等で回動し、固定枠に対し扉体を前後方向に移動させて調整しているときには静止機構の作動が解除され、調整が完了したら当該静止機構が作動して作動孔と作動ピンとの間の相対運動を阻止し、阻止した状態下で調整プレートを固定枠にビス等で固定できるようにしているために、調整通りに建て付けができる。本装置における静止機構もまた、簡便なものが好ましく、後述するような請求項７に係る構成のものが好ましい。
【０００９】
また、本発明の請求項４に係る扉開閉装置は、固定枠に固着される枠ケース、及び扉体に連結される取付プレート、並びに取付プレートと一体となって枠ケースの所定面上を前後方向に摺動し、固定枠に対し扉体を前後方向に移動可能にする調整プレートを備え、そして、その側面に立設された円筒部材が枠ケースの穿設孔に回動自在に嵌挿される調整ピニオンと、その側面に立設された作動ピンが、前後方向に対し垂直方向をなす調整プレートのスリットを介して、前後方向に対し所定角方向、例えば６０度方向に穿設された枠ケースの作動孔に嵌挿されるとともに、６０度方向に歯刻された調整ラックとで構成される歯車機構を備えており、かかる装置によれば、上述のような静止機構を付加せずとも、取付プレートを介して付与される扉体等の重量を、上記作動孔と作動ピンとの間、及び調整ピニオンと調整ラックとの間で均衡させてこれらの間の相対運動を阻止し、阻止された状態下で調整プレートを枠ケースにビス等で固定できるために、調整通りに建て付けができる。
ところで、上記所定角の大きさは、扉体の重量等に抗すべき当該斜面の摩擦係数や当該ピニオン・ラックのモジュール、歯車ピッチに対応する調整プレートの移動量などに拠ることは言うまでもないが、少なくとも前後方向に対し４５度を越えるようにし、とりわけ６０度にするのが好ましい。
【００１０】
また、本発明の請求項５に係る扉開閉装置は、固定枠に固着される枠ケース、及び扉体に連結される取付プレート、並びに取付プレートと一体となって枠ケースの所定面上を前後方向に摺動し、固定枠に対し扉体を前後方向に移動可能にする調整プレートを備え、そして、その側面に立設された円筒部材が枠ケースの穿設孔に回動自在に嵌挿される調整ピニオンと、その側面に立設された作動ピンが、前後方向に対し垂直方向をなす調整プレートの作動孔に嵌挿されるとともに、調整ピニオンに噛合する歯形が、調整ピニオンを包囲するように前後方向に対し所定角方向、例えば６０度方向に穿設された穿設溝の溝壁に形成される調整ラックとからなる歯車機構を備えるもので、請求項４に係る装置に対して変形形態をなすものである。しかし、上述のような静止機構を付加せずとも調整通りに建て付けができることは同様であり、羽根板を介して付与される扉体等の重量を上記作動孔と作動ピンとの間、及び調整ラックと調整ピニオンとの間で均衡させてこれらの間の相対運動を阻止し、阻止された状態下で調整プレートを固定枠にビス等で固定できる。
ところで、上記所定角の大きさは、上述のように扉体の重量等に抗すべき当該斜面の摩擦係数などに拠ることは言うまでもなく、また、少なくとも前後方向に対し４５度を越えるようにし、とりわけ６０度にするのが好ましい。
【００１１】
また、本発明の請求項６に係る扉開閉装置は、静止機構が、枠ケースの穿設孔から突出する円筒部材の一端に一体に形成された歯付き部と、枠ケースの穿設孔周りに形成され、当該歯付き部に係合する凹部と、円筒部材の外周に配設され、歯付き部を枠ケースの凹部に押圧させる付勢手段、例えばスプリングとからなるもので、上記請求項１に係るクランク部材の場合で説明すれば、その円筒部材をドライバ等でスプリングに抗して押圧しながら回動すると、枠ケースの凹部と歯付き部との係合が解除されて固定枠に対する扉体の前後方向の調整ができ、調整が完了したらドライバ等を押圧するのを止めると、スプリングによって歯付き部が枠ケースの凹部に係合して作動孔と作動ピンとの間の相対運動が阻止され、阻止された状態下で調整プレートを固定枠にビス等で固定できるので、調整通りに建て付けができる。
ところで、歯付き部と凹部との係合方法は種々あり、例えば歯付き部としての歯付き座金を円筒部材の一端に取り付け、この歯付き座金とこれに係合する枠ケース面に形成された凹部とでかみ合いクラッチのようなものを構成してもよく、また、歯付き部の凸部と枠ケースの凹部とでスプライン嵌合、或いはセレーション嵌合によるかみ合いクラッチのようなものを構成してもよい。
また、本発明の請求項７に係る扉開閉装置は、静止機構が、枠ケースの作動孔から突出する作動ピンの一端に一体に形成された歯付き部と、枠ケースの作動孔周りに形成され、当該歯付き部に係合する凹部と、作動ピンの外周に配設され、歯付き部を前記枠ケースの凹部に押圧させる、例えばスプリングなどの付勢手段とからなるもので、請求項６に係る静止機構と同様に、作動孔と作動ピンとの間の相対運動が阻止され、阻止された状態下で調整プレートを固定枠にビス等で固定できるので、調整通りに建て付けができる。この場合においても、歯付き部と凹部との係合方法は、各種のやり方があり、上述のようなかみ合いクラッチで構成してよいことはもちろんである。
【００１２】
【発明の実施の形態】
本発明の実施の形態の第１例を図１〜４を参照して説明する。
本実施の形態に係る扉開閉装置１は、図１に示すように、固定枠２側の第１係合部材Ａ、及び扉体（図示せず）側の第２係合部材Ｂ、並びにこれらを連結するヒンジ部材Ｃで構成され、これらが協働することによって、扉体を自在開閉させることができる。そして、扉体を自在に、且つスムースに開閉することができるように、かかる装置１は、第１係合部材Ａ及び第２係合部材Ｂが、固定枠２及び扉体にそれぞれ上下に位置決めして固着され、これらを一組として用いるのが通常である。尚、同図の固定枠２には、第１係合部材Ａを構成する後述の枠ケース３のみが固着されているところが示されている。
上記第１係合部材Ａは、図２に示すように、固定枠２に固着される上述の枠ケース３、及び扉体にヒンジ部材Ｃを介して連結される取付プレート４、並びに、取付プレート４と一体となって、後述するように枠ケース３の底部３ａの上面（所定面）を前後方向（図２（Ａ）中の矢印Ａ，Ｂ方向、以下の図面において同じ）に摺動し、固定枠２に対する扉体の前後方向の移動による調整後にビス５で固定枠２に固定される調整プレート６を備えている。
ところで、第２係合部材Ｂは、扉体にビスで固着される取付プレートで構成され、また、ヒンジ部材Ｃは、上記取付プレート４及び扉体に固着される取付プレートのそれぞれの端部を筒状に丸めて連接し、これら筒状内に軸ピン（図示せず）を挿入して構成されており、したがって、本実施の形態では、取付プレート４及び扉体に固着される取付プレートは、ヒンジ部材Ｃをも兼ねている。
【００１３】
ここで、上記第１係合部材Ａについて、図２を参照して詳細に説明する。但し、同図は、調整プレート６が摺動する前の中立状態にあるときの状態図であり、同図（Ｂ）は、同図（Ａ）のＰ−Ｐ断面図である。
部材Ａの枠ケース３は、扁平なＵ字型形状をなす部材であり、固定枠２の所定凹部（図示せず）に嵌合され、この部材の底部３ａから立設する端部３ｂにおいてビス（図示せず）により固着される。そして、この底部３ａの略中央に、後述する円筒部材８が緩嵌される穿設孔３ｃが設けられ、この穿設孔３ｃ周りに、後述する歯付き座金１３に係合する凹部１５（図３（Ｂ）参照）が形成されており、また、上記穿設孔３ｃを隔てて上記ビス５が螺着される一対のネジ穴３ｄ（図４参照）が設けられ、更に、この底部３ａには、後述する左右調整ネジ７を取り付ける際の干渉防止のために、Ｕ字状の切欠部３ｅが設けられている。
【００１４】
部材Ａの調整プレート６は、扁平なＬ字型形状をなす板部材であり、この板部材の横板部６ａには、略中央に長軸を前後方向とする長円形状の長孔が３つ、また、これら長孔と縦板部６ｂとの間に長軸を前後方向に対し垂直方向（図２（Ａ）面上で、当該図面中の矢印Ａ，Ｂ方向に対し直角方向、以下の図面において同じ）とする長円形状の作動孔６ｃが穿設されているとともに、上記切欠部３ｅの位置に合わせてＵ字状の切欠部６ｄが設けられている。そして、この横板部６ａが、枠ケース３の底部３ａの上面を前後方向に、その端部３ｂに設けられた溝３ｆに案内されて摺動するようになっており、このために、上記長孔のうち中央のものは、後述する円筒部材８が調整プレート６の摺動に伴って干渉しないように、また、他のものは、上記ビス５が調整プレート６の摺動に伴って干渉しないように長円形状に穿設されている。
【００１５】
部材Ａの取付プレート４は、上述のように端部が筒状に丸められた略矩形形状をなす板部材であり、この板部材には、略中央に長軸を前後方向とする長孔が３つ穿設されており、上記長孔のうち中央のものは、後述する円筒部材８が調整プレート６の摺動に伴って干渉しないように、また、他のものは、上記ビス５が調整プレート６の摺動に伴って干渉することなく枠ケース３に螺着されるように穿設されている。更に、この板部材には、上記切欠部６ｄの位置するところに後述の左右調整ネジ７が螺着するためのネジ穴４ａが設けられ、また、この板部材の略中央には小孔４ｂが穿設されている。そして、取付プレート４は、この小孔４ｂに上記縦板部６ｂの突部を係合させ、上述した左右調整ネジ７の上部をネジ穴４ａに螺着するとともに、その下方くびれ部を上記切欠部６ｄに挿入して調整プレート６を挟持することにより調整プレート６に固定され、調整プレート６と一体となって前後方向に移動できるようになっている。
【００１６】
そして、この部材Ａには、その上部８ａが取付プレート４の上記長孔から突出され、その下部８ｂが枠ケース３の穿設孔３ｃに回動自在に緩嵌される円筒部材８と、調整プレート６の作動孔６ｃに嵌挿される作動ピン９と、これら円筒部材８の中部及び作動ピン９を連結するアーム１０とを有するクランク部材１１が備えられている。但し、本実施の形態のクランク部材１１は、上部８ａの上面にドライバ等で回動できるように十字形状の溝が刻設されたボルト形状の円筒部材８に、作動ピン９及びアーム１０を結合して一体化した形態をなすものであるが、これに限るものでないことはもちろんである。
このようなクランク部材１１において、上部８ａをドライバ等で回動すると、アーム１０も回動する一方、作動ピン９は作動孔６ｃを往復する。このとき、調整プレート６には作動ピン９を介して力が加えられ、この力の前後方向の分力により調整プレート６が上記底部３ａの上面を前後方向に摺動するので、調整プレート６と取付プレート４とが一体となって前後方向に移動する。
【００１７】
しかも、この部材Ａには、図３に詳細に示すような、作動孔６ｃと作動ピン９との間の相対運動を阻止し、円筒部材８を回動する場合には上記相対運動を可能にする静止機構１２が備えられている。この静止機構１２は、枠ケース３の穿設孔３ｃから突出する円筒部材８の下部８ｂの一端に一体に形成された上述の歯付き座金（歯付き部）１３と、枠ケース３の穿設孔３ｃ周りに形成されて歯付き座金１３に係合する上述の凹部１５と、円筒部材８の外周で、且つ、上記アーム１０と枠ケース３との間に介装されて歯付き座金１３を枠ケース３の凹部１５に押圧させるスプリング（付勢手段）１４とから構成されており、歯付き座金１３と凹部１５とでかみ合いクラッチを構成する。
このような静止機構１２において、調整前では歯付き座金１３はスプリング１４により枠ケース３に押圧されているが（同図（Ａ））、円筒部材８をドライバ等でスプリング１４に抗して押圧しながら回動すると、枠ケース３の凹部１５と歯付き座金１３との係合が解除されるため、即ちクラッチのかみ合いが解除されるため（同図（Ｂ））、調整プレート６を前後方向に摺動させて固定枠２に対する扉体の前後方向の調整ができ、調整が完了したら押圧するのを止めると、スプリング１４により歯付き座金１３が枠ケース３の凹部１５に係合するため、即ちクラッチがかみ合うため（同図（Ａ））、作動孔６ｃと作動ピン９との間の相対運動が阻止され、阻止された状態下で調整プレート６を枠ケース３にビス５で固定できるので、調整通りに建て付けができる。尚、同図において取付プレート４は省略されている。
【００１８】
このような装置１によって、固定枠２に対する扉体の前後方向の調整をするやり方を図２〜４を参照して説明する。尚、説明の都合で、調整前には調整プレート６が図２（Ａ）の中立状態にあるものする。但し、図４において取付プレート４等は省略されている。
まず、調整プレート６を矢印Ａ方向に摺動させて図４（Ａ）の状態になるように調整する場合は、クランク部材１１の円筒部材８をドライバ等で押圧しながら反時計方向に回転すると、枠ケース３の凹部１５と歯付き座金１３との係合が解除されるとともに、調整プレート６には作動ピン９を介して矢印Ａ方向の力が加えられ、調整プレート６がこの方向に摺動するので、調整プレート６と取付プレート４とは一体となってこの方向に移動する。そして、同図（Ａ）の状態で調整が完了する場合には、円筒部材８に対する押圧を止めると、スプリング１４により歯付き座金１３が枠ケース３の凹部１５に係合するようになり、作動孔６ｃと作動ピン９との間の相対運動が阻止され、阻止された状態下で調整プレート６を枠ケース３にビス５で固定する。
【００１９】
また、調整プレート６を矢印Ｂ方向に摺動させて図４（Ｂ）の状態になるように調整する場合は、円筒部材８を押圧しながら時計方向に回転すると、歯付き座金１３の上記係合が解除されるとともに、調整プレート６には矢印Ｂ方向の力が加えられ、調整プレート６がこの方向に摺動するので、調整プレート６と取付プレート４とは一体となってこの方向に移動し、同図（Ｂ）の状態で調整が完了する場合には、円筒部材８に対する押圧を止めると、歯付き座金１３の上記係合により、作動孔６ｃと作動ピン９との間の相対運動が阻止され、この状態下で調整プレート６を枠ケース３にビス５で固定する。
このようなやり方で調整すれば、調整通りに建て付けができる。
【００２０】
次に、本発明の実施の形態の第２例を図５及び６を参照して説明する。尚、これらの図において取付プレート４等は省略されている。
本実施の形態に係る扉開閉装置２０は、上記クランク部材１１に代えてクランク部材２１を、また、上記静止機構１２に代えて静止機構２２を用いてなるものである。
最初に、本装置２０の構成に関し、上述した第１例の装置１と異なるところのみを図５を参照して説明する。但し、図５（Ａ）は、本装置２０の部材Ａの構成図、同図（Ｂ）は、同図（Ａ）のＱ−Ｑ断面図である。
本装置２０のクランク部材２１は、後述する調整プレート２６の穿設孔２６ａに回動自在に緩嵌される扁平な円筒部材２３と、この円筒部材２３にその回転軸に偏心して突設され、後述する枠ケース２５の作動孔２５ａに嵌挿される作動ピン２４とを備えるもので、このようなクランク部材２１に対応させて、枠ケース２５においては、上記枠ケース３の穿設孔３ｃに代えて、長軸を前後方向に対し垂直方向とする長円形状の作動孔２５ａが穿設され、この作動孔２５ａ周りに静止機構２２の歯付き座金１３に係合する凹部２７が形成されており、また、調整プレート２６においては、上記調整プレート６の作動孔６ｃに代えて、円形の穿設孔２６ａが、上記調整プレート６の横板部６ａに設けられた３つの長孔のうちの中央の長孔の位置に設けられている。そして、この穿設孔２６ａの円周端は、図５（Ｂ）に示すように上方に折曲されて突出し、ここに円筒部材２３が緩嵌されるようになっている。
【００２１】
一方、本装置２０の静止機構２２は、枠ケース２５の作動孔２５ａから突出する作動ピン２４の一端に一体に形成された上記歯付き座金１３と、枠ケース２５の作動孔２５ａ周りに形成されて歯付き座金１３に係合する上記凹部２７と、作動ピン２４の外周で、且つ、上記円筒部材２３と枠ケース２５との間に介装され、歯付き座金１３を枠ケース２５の凹部２７に押圧させる上記スプリング１４とから構成されている。
このような静止機構２２において、調整前では歯付き座金１３はスプリング１４により枠ケース２５に押圧されているが（図５（Ｂ））、円筒部材２３の上面をドライバ等でスプリング１４に抗して押圧しながら回動すると、枠ケース２５の凹部２７と歯付き座金１３との係合が解除され、即ちクラッチのかみ合いが解除され、調整プレート２６を前後方向に摺動させて固定枠２に対する扉体の前後方向の調整ができ、調整が完了したら押圧するのを止めると、スプリング１４により歯付き座金１３が枠ケース２５の凹部２７に係合する結果、即ちクラッチがかみ合う結果、作動孔２５ａと作動ピン２４との間の相対運動が阻止され、阻止された状態下で調整プレート２６を枠ケース２５にビス５で固定できるので、調整通りに建て付けができる。
【００２２】
次に、このような装置２０によって、固定枠２に対する扉体の前後方向の調整をするやり方を図６を参照して説明する。但し、説明の都合で、調整前には調整プレート２６が図５（Ａ）の中立状態にあるものとする。
まず、調整プレート２６を矢印Ａ方向に摺動させて図６（Ａ）の状態になるように調整する場合は、クランク部材２１の円筒部材２３をドライバ等で押圧しながら時計方向に回転すると、枠ケース２５の凹部２７と歯付き座金１３との係合が解除されるとともに、調整プレート２６には作動ピン２４及び円筒部材２３を介して矢印Ａ方向の力が加えられ、調整プレート２６がこの方向に摺動するので、調整プレート２６と取付プレート４とは一体となってこの方向に移動する。そして、同図（Ａ）の状態で調整が完了する場合には、円筒部材２３に対する押圧を止めると、スプリング１４により歯付き座金１３が枠ケース２５の凹部２７に係合するようになり、作動孔２５ａと作動ピン２４との間の相対運動が阻止され、阻止された状態下で調整プレート２６を枠ケース２５にビス５で固定する。
【００２３】
また、調整プレート２６を矢印Ｂ方向に摺動させて図６（Ｂ）の状態になるように調整する場合は、円筒部材２３を押圧しながら反時計方向に回転すると、歯付き座金１３の上記係合が解除されるとともに、調整プレート２６には矢印Ｂ方向の力が加えられ、調整プレート２６がこの方向に摺動するので、調整プレート２６と取付プレート４とは一体となってこの方向に移動し、同図（Ｂ）の状態で調整が完了する場合には、円筒部材２３に対する押圧を止めると、歯付き座金１３の上記係合により、作動孔２５ａと作動ピン２４との間の相対運動が阻止され、この状態下で調整プレート２６を枠ケース２５にビス５で固定する。
このようなやり方で調整すれば、調整通りに建て付けができる。
【００２４】
ところで、クランク部材は、上述したように第１例や第２例に係るクランク部材１１や２１に限るものではなく、例えば図７に示すような形態のものであってもよい。但し、図７（Ｂ）は、同図（Ａ）のＲ−Ｒ断面図である。
以下では、図７に係るクランク部材３０、及びクランク部材３０に対応した静止機構、並びにこれらに係合する枠ケース３１及び調整プレート３２を備えた装置について、第１例の装置１と異なるところのみを説明する。尚、同図において取付プレート４等は省略されている。
クランク部材３０は、後述するアーム３３の角穴に緩嵌される角部３４ａ、及びこの角部３４ａに連設され、調整プレート３２の丸穴に緩嵌される円筒部３４ｂを有する円筒部材３４と、調整プレート３２を枠ケース３１に固定する上記ビス５を構成要素とし（ビス５が上記作動ピン９を兼ねている）、当該ビス５及び円筒部材３４を連結する上記アーム３３とを備えたもので、アーム３３には、基部３３ａに円筒部材３４の角部３４ａが緩嵌される上述の角穴が穿設され、端部３３ｂにビス５を挟持するＵ字状の切欠きが設けられている。尚、円筒部材３４の角部３４ａの上面にドライバ等で回動できるように十字形状の溝が刻設されており、円筒部材３４を回動すれば、アーム３３はビス５の廻りに回動し、このとき、円筒部材３４から調整プレート３２に力が加えられ、この力の前後方向の分力により調整プレート３２が枠ケース３１の底部の上面を摺動する。
【００２５】
このようなクランク部材３０に対応させて、調整プレート３２が上記調整プレート６と異なるところは、調整プレート６の作動孔６ｃに代えて、その略中央に円筒部３４ｂが緩嵌される上記丸穴が、横板部６ａの中央の長孔の位置に穿設されている点である。また、枠ケース３１が上記枠ケース３と異なるところは、この底部の略中央に長軸を前後方向とする長円形状の長孔３１ａが、枠ケース３の穿設孔３ｃに代えて穿設されている点であり、この長孔３１ａから円筒部３４ｂの一端が突出されて、この一端に上記歯付き座金１３が一体に形成され、この歯付き座金１３が枠ケース３１の長孔３１ａ周りに形成された凹部（図示せず）に係合するとともに、上記スプリング１４は、円筒部３４ｂの外周で、且つ、角部３４ａと枠ケース３１との間に介装されている。
【００２６】
このような装置で、図８（Ｂ）の状態から同図（Ａ）の状態にする場合には、円筒部材３４をドライバ等で押圧しながら時計方向に回転すると、調整プレート３２には円筒部材３４を介して矢印Ａ方向の力が加えられ、調整プレート３２がこの方向に摺動するので、調整プレート３２と取付プレート４とは一体となってこの方向に移動して同図（Ａ）の状態になる。また、同図（Ｂ）の状態から同図（Ｃ）の状態にする場合には、円筒部材３４を押圧しながら反時計方向に回転すると、調整プレート３２には矢印Ｂ方向の力が加えられ、調整プレート３２がこの方向に摺動するので、調整プレート３２と取付プレート４とは一体となってこの方向に移動して同図（Ｃ）の状態になる。そして、このような同図（Ａ）や（Ｃ）の状態下で、本装置においても、静止機構により、ビス５とアーム３３の切欠きとの間の相対運動が阻止され、阻止された状態下で調整プレート３２を枠ケース３１にビス５で固定することができるので、調整通りに建て付けができることは言うまでもない。ところで、当該静止機構が上記静止機構１２と異なるところは、静止機構１２の凹部１５が円形孔の周り（穿設孔３ｃ周り）に形成されているのに対し、当該静止機構のそれが長円形状孔の周り（長孔３１ａ周り）に形成されている点のみである。
尚、図８（Ｂ）は、調整プレート３２が調整前の中立状態にある場合を示し、同図（Ａ）や（Ｃ）は、調整プレート３２が前後方向に移動された状態にある場合をそれぞれ示す。
【００２７】
また、上記静止機構のように、その凹部を長円形状の長孔３１ａ周りに形成しなければならない場合には、当該静止機構に代えて、図９に示すような静止機構３５を採用してもよい。尚、図９（Ｂ）は、同図（Ａ）の静止機構３５を矢印Ｃ方向から見た斜視図である。
静止機構３５は、上述した歯付き座金１３と長孔３１ａ周りの凹部との係合によるかみ合いクラッチの代わりに、歯付き部としてのセレーション歯付き平板３６を円筒部材３４の一端に取り付け、この平板３６とこれに係合する枠ケース３１の長孔３１ａの内壁に形成されたセレーション歯刻部３７（凹部）とでセレーション嵌合によるかみ合いクラッチを構成するようにしたものである。
かかる静止機構３５においては、調整前では平板３６はスプリング１４により枠ケース３１に押圧されているが、円筒部材３４の上面をドライバ等でスプリング１４に抗して押圧しながら回動すると、枠ケース３１の歯刻部３７と平板３６との係合が解除され、即ちクラッチのかみ合いが解除され、調整プレート３２を前後方向に摺動させて固定枠２に対する扉体の前後方向の調整ができ、調整が完了したら押圧するのを止めると、スプリング１４により平板３６が枠ケース３１の歯刻部３７に係合する結果、即ちクラッチがかみ合う結果、ビス５とアーム３３の切欠きとの間の相対運動が阻止され、阻止された状態下で調整プレート３２を枠ケース３１にビス５で固定できる。したがって、調整通りに建て付けができることは上記静止機構を用いた場合と同様である。
【００２８】
次に、本発明の実施の形態の第３例を図１０及び１１を参照して説明する。
本実施の形態に係る扉開閉装置４０は、第１例に係る装置１のクランク部材１１の代わりに歯車機構４１を用いたものである。尚、図１０及び１１において、上記装置１の部材と同一のものには同一番号を付し、その説明は割愛する。また、これらの図において取付プレート４等は省略されている。
本装置４０の第１係合部材Ａは、固定枠２に固着される上記枠ケース３、及びヒンジ部材Ｃに連結される取付プレート４、並びに取付プレート４と一体となって、枠ケース３の底部３ａの上面を前後方向に摺動し、固定枠２に対する扉体の前後方向の調整後にビス５（当該図面では図示せず）で固定枠２に固定される、上記調整プレート６とは異なる調整プレート４２を備えている。
かかる調整プレート４２は、調整プレート６と同様に扁平なＬ字型形状をなす板部材であるが、この板部材の横板部４２ａには、略中央に長手方向を前後方向とする矩形溝４２ｂが、また、この矩形溝４２ｂを隔てて長軸を前後方向とする一対の長円形状の長孔４２ｃ，４２ｄがビス５の位置に合わせてそれぞれ穿設され、この横板部４２ａが、枠ケース３の底部３ａの上面を前後方向に、その端部３ｂに設けられた溝３ｆに案内されて摺動するようになっており、更に、矩形溝４２ｂの溝壁には、歯車機構４１を構成する調整ラック４３が歯刻され、かかる調整ラック４３は、その下面の凹部４５ａ内から立設された円筒部材４４が枠ケース３の穿設孔３ｃに回動自在に緩嵌される歯車機構４１の調整ピニオン４５に噛合している。尚、調整ピニオン４５において、その円筒部材４４と反対側の上面にはドライバ等で回動できるように十字形状の溝が刻設されている。
【００２９】
ところで、本装置４０においても、調整ピニオン４５と調整ラック４３との間の相対運動を阻止し、円筒部材４４を回動する場合には上記相対運動を可能にする静止機構１２と同様な機能を有する静止機構４６が備えられていることは言うまでもない。
この静止機構４６は、枠ケース３の穿設孔３ｃから突出する円筒部材４４の一端に一体に形成された上記歯付き座金１３と、枠ケース３の穿設孔３ｃ周りに形成された歯付き座金１３に係合する上記凹部１５と、円筒部材４４の外周で、且つ、調整ピニオン４５の凹部４５ａと枠ケース３との間に介装され、歯付き座金１３を枠ケース３の凹部１５に押圧させるスプリング１４とから構成されるものであり、このような静止機構４６において、図１０（Ｂ）に示すように、調整前では歯付き座金１３はスプリング１４により枠ケース３に押圧されているが、調整ピニオン４５の上面をドライバ等でスプリング１４に抗して押圧しながら回動すると、枠ケース３の凹部１５と歯付き座金１３との係合が解除され、即ちクラッチのかみ合いが解除され、調整プレート４２を前後方向に摺動させて固定枠２に対する扉体の前後方向の調整ができ、調整が完了したら押圧するのを止めると、スプリング１４により歯付き座金１３が枠ケース３の凹部１５に係合する結果、即ちクラッチがかみ合う結果、調整ピニオン４５と調整ラック４３との間の相対運動が阻止され、阻止された状態下で調整プレート４２を枠ケース３にビス５で固定できるので、調整通りに建て付けができる。
尚、図１０（Ａ）は、調整プレート４２が摺動する前の中立状態にあるときの状態図であり、同図（Ｂ）は、同図（Ａ）のＳ−Ｓ断面図である。
【００３０】
このような装置４０で、まず、調整プレート４２を矢印Ａ方向に摺動させて図１１（Ａ）の状態になるように調整する場合は、調整ピニオン４５の上面をドライバ等で押圧しながら時計方向に回転すると、枠ケース３の凹部１５と歯付き座金１３との係合が解除されるとともに、調整プレート４２には矢印Ａ方向の力が加えられ、調整プレート４２がこの方向に摺動するので、調整プレート４２と取付プレート４とは一体となってこの方向に移動する。そして、同図（Ａ）の状態で調整が完了する場合には、調整ピニオン４５の上面に対する押圧を止めると、スプリング１４により歯付き座金１３が枠ケース３の凹部１５に係合する結果、即ちクラッチがかみ合う結果、調整ピニオン４５と調整ラック４３との間の相対運動が阻止され、阻止された状態下で調整プレート４２を枠ケース３にビス５で固定する。
また、調整プレート４２を矢印Ｂ方向に摺動させて同図（Ｂ）の状態になるように調整する場合は、調整ピニオン４５の上面を押圧しながら反時計方向に回転すると、歯付き座金１３の上記係合が解除されるとともに、調整プレート４２には矢印Ｂ方向の力が加えられ、調整プレート４２がこの方向に摺動するので、調整プレート４２と取付プレート４とは一体となってこの方向に移動し、同図（Ｂ）の状態で調整が完了する場合には、調整ピニオン４５の上面に対する押圧を止めると、歯付き座金１３の上記係合により、調整ピニオン４５と調整ラック４３との間の相対運動が阻止され、この状態下で調整プレート４２を枠ケース３にビス５で固定する。
このようなやり方で調整すれば、調整通りに建て付けができる。
【００３１】
次に、本発明の実施の形態の第４例を図１２，１３を参照して説明する。
本実施の形態に係る扉開閉装置５０は、第３例に係る装置４０の歯車機構４１の代わりに歯車機構５１を用いたものである。尚、同図において、上記装置１等の部材と同一のものには同一番号を付し（取付プレート４等は省略）、その説明は割愛する。但し、図１２（Ａ）は、本装置５０の部材Ａの構成図、同図（Ｂ）は、同図（Ａ）のＴ−Ｔ断面図である。また、図１３（Ｂ）は、調整プレートが調整前の中立状態にある場合を示し、同図（Ａ）や（Ｃ）は、調整プレートが前後方向に移動された状態にある場合をそれぞれ示す。
本実施の形態においては、歯車機構５１を構成する調整ラック５２は、後述する調整プレート５４とは別体の小板部材５５で構成され、この小板部材５５に、前後方向に対し所定角方向、本実施の形態では６０度方向に歯刻されたものである点に特徴がある。
本装置５０の第１係合部材Ａは、固定枠２に固着される枠ケース５３、及びヒンジ部材Ｃに連結される取付プレート４、並びに取付プレート４と一体となって、枠ケース５３の底部３ａの上面を前後方向に摺動し、固定枠２に対する扉体の前後方向の調整後にビス５で固定枠２に固定される調整プレート５４を備えている。
【００３２】
このような歯車機構５１に対応した第１係合部材Ａの枠ケース５３及び調整プレート５４について、上記装置１の枠ケース３及び調整プレート６とそれぞれ異なるところのみを説明する。
枠ケース５３において、枠ケース３と異なるところは、この枠ケース５３の低部３ａに、その穿設孔３ｃに関し切欠部３ｅとは反対側に、前後方向に対し所定角方向、即ち、調整ラック５２の歯刻方向に合わせて６０度方向に長溝の作動孔５３ａが新たに穿設されている点である。また、調整プレート５４において、調整プレート６と異なるところは、横板部６ａの作動孔６ｃの代わりにスリット５４ａが当該作動孔６ｃとほぼ同じ位置に穿設されている点である。
【００３３】
そして、この部材Ａには、その側面に立設された円筒部材５６が枠ケース５３の穿設孔３ｃに回動自在に嵌挿される調整ピニオン５７と、上述した小板部材５５に歯刻された調整ラック５２とで構成される上記歯車機構５１が備えられ、この小板部材５５の側面には、上記スリット５４ａを介して上記作動孔５３ａに嵌挿される作動ピン５８が立設されている。尚、調整ピニオン５７において、その円筒部材５６の、穿設孔３ｃからの突出端が、抜け落ち防止のためカシメられており、また、ピニオン５７の外径とほぼ等しい径の円板状のキャップ５７ａが、上記円筒部材５６と反対側の上面に配設され（図１２（Ｂ））、これにより、ラック５２の抜け落ちが防止されるようになっており、このキャップ５７ａの上面にはドライバ等で回動できるように十字形状の溝が刻設されている。但し、当該キャップ５７ａは、図１２（Ｂ）以外の図面においては省略されている。
このような歯車機構５１において、小板部材５５は、調整ピニオン５７の回動に伴ってその作動ピン５８が作動孔５３ａに案内されて往復するために、調整ラック５２が調整ピニオン５７と確実に噛み合って調整プレート５４の上面を摺動する一方、上記作動ピン５８が調整プレート５４に対し力を付与するために、この力の前後方向の分力により調整プレート５４がその底部３ａの上面を前後方向に摺動する結果、調整プレート５４と取付プレート４とが一体となって前後方向に移動する。
ところで、本装置５０において、上述した静止機構１２等を設けるには及ばないことは上述の通りであり、取付プレート４を介して付与される扉体等の重量を作動孔５３ａと作動ピン５８との間、及び調整ピニオン５７と調整ラック５２との間で均衡させてこれらの間の相対運動を阻止し、阻止された状態下で調整プレート５４を枠ケース５３にビス等で固定できる。
【００３４】
本装置５０で、まず、図１０（Ｂ）の中立状態にある調整プレート５４を矢印Ａ方向に摺動させて同図（Ａ）の状態になるように調整する場合は、調整ピニオン５７の上面をドライバ等で反時計方向に回転すると、調整プレート５４に調整ラック５２を介して矢印Ａ方向の力が加えられ、調整プレート５４がこの方向に摺動するので、調整プレート５４と取付プレート４とは一体となってこの方向に移動する。そして、同図（Ａ）の状態で調整が完了する場合には、調整ピニオン５７に対する上記回転を止め、調整プレート５４を枠ケース５３にビス５で固定する。
また、調整プレート５４を矢印Ｂ方向に摺動させて同図（Ｃ）の状態になるように調整する場合は、調整ピニオン５７の上面を時計方向に回転すると、調整プレート５４には矢印Ｂ方向の力が加えられ、調整プレート５４がこの方向に摺動するので、調整プレート５４と取付プレート４とは一体となってこの方向に移動し、同図（Ｃ）の状態で調整が完了する場合には、調整ピニオン５７に対する上記回転を止め、調整プレート５４を枠ケース５３にビス５で固定する。このようなやり方で調整することにより、調整通りに建て付けができる。
【００３５】
次に、本発明の実施の形態の第５例を図１４，１５を参照して説明する。尚、同図において上記装置１等の部材と同一のものには同一番号を付し（取付プレート４等は省略）、その説明は割愛する。
第５例に係る装置６０は、上述した第４例に係る歯車機構５１に対し変形形態をなす歯車機構６１を備えている。
以下では、当該歯車機構６１、並びにこの歯車機構６１に対応した枠ケース６２及び調整プレート６３を備えた装置６０について、装置５０と異なるところのみを説明する。尚、図１４（Ａ）は、本装置６０の部材Ａの構成図、同図（Ｂ）は、同図（Ａ）のＵ−Ｕ断面図である。また、図１５（Ｂ）は、調整プレート６３が調整前の中立状態にある場合を示し、同図（Ａ）や（Ｃ）は、調整プレート６３が前後方向に移動された状態にある場合をそれぞれ示す。
本装置６０において、歯車機構６１を構成する調整ラック６４は、調整プレート６３とは別体の小板部材６５で構成され、この小板部材６５に、歯刻方向が前後方向に対し所定角方向、本実施の形態では６０度方向に歯刻されたものであり、しかも、これに噛合する調整ピニオン６６とで内歯歯車機構を形成している点に特徴がある。
このような歯車機構６１に対応して、部材Ａの枠ケース６２は、上記枠ケース５３とほぼ同様な構造をなすが、その底部に調整ラック６４の歯刻方向に合わせて上述のような作動孔５３ａに相当するものが穿設されていないところが異なる。また、調整プレート６３も、上記調整プレート５４とほぼ同様な構造をなすが、横板部５４ａのスリット５４ｃに代えて作動孔６３ａが穿設されるとともに、調整ピニオン６６の配設位置を基準としてこれと点対称の位置に、且つ、作動孔６３ａに平行に作動孔６３ｂが穿設されているところが異なる。
【００３６】
そして、この部材Ａの歯車機構６１は、その側面に立設された円筒部材６７が枠ケース６２の穿設孔３ｃに回動自在に嵌挿される調整ピニオン６６と、この調整ピニオン６６に噛合する歯形が、上記小板部材６５に穿設された穿設溝６８の溝壁６８ａに形成される上記調整ラック６４で構成され、小板部材６５の穿設溝６８は、調整ピニオン６６を包囲するように前後方向に対し上記６０度方向に穿設されている。また、小板部材６５の側面には、上記スリット６３ａ，６３ｂに嵌挿される作動ピン６９ａ，６９ｂがそれぞれ立設されている。尚、調整ピニオン６６において、その円筒部材６７の、穿設孔３ｃからの突出端が、抜け落ち防止のためカシメられており、また、ピニオン６６の外径とほぼ等しい径の円板状のキャップ６６ａが、上記円筒部材６７と反対側の上面に配設され（図１４（Ｂ））、これにより、ラック６４の抜け落ちが防止されるようになっており、このキャップ６６ａの上面にはドライバ等で回動できるように十字形状の溝が刻設されている。但し、当該キャップ６６ａは、図１４（Ｂ）以外の図面においては省略されている。
このような歯車機構６１において、小板部材６５は、調整ピニオン６６の回動に伴ってその作動ピン６９ａ，６９ｂがスリット６３ｃ，６３ｄをそれぞれ往復するとともに、調整ピニオン６６が穿設溝６８の溝壁６８ｂに沿って案内されるために、調整ラック６４が調整ピニオン６６と確実に噛み合って調整プレート６３の上面を摺動する一方、上記作動ピン６９ａ，６９ｂが調整プレート６３に対し力を付与するために、この力の前後方向の分力により調整プレート６３が枠ケース６２の底部３ａの上面を前後方向に摺動する結果、調整プレート６３と取付プレート４とが一体となって前後方向に移動する。
ところで、本装置６０において、上述した静止機構１２等を設けるには及ばないことは上記装置５０と同様である。
【００３７】
本装置６０においては、まず、図１１（Ｂ）の中立状態にある調整プレート６３を矢印Ａ方向に摺動させて同図（Ａ）の状態になるように調整する場合は、調整ピニオン６６の上面をドライバ等で反時計方向に回転すると、調整プレート６３に調整ラック６４を介して矢印Ａ方向の力が加えられ、調整プレート６３がこの方向に摺動するので、調整プレート６３と取付プレート４とは一体となってこの方向に移動する。そして、同図（Ａ）の状態で調整が完了する場合には、調整ピニオン６６に対する上記回転を止め、調整プレート６３を枠ケース６２にビス５で固定する。
また、調整プレート６３を矢印Ｂ方向に摺動させて同図（Ｂ）の状態になるように調整する場合は、調整ピニオン６６の上面を時計方向に回転すると、調整プレート６３には矢印Ｂ方向の力が加えられ、調整プレート６３がこの方向に摺動するので、調整プレート６３と取付プレート４とは一体となってこの方向に移動し、同図（Ｂ）の状態で調整が完了する場合には、調整ピニオン６６に対する上記回転を止め、調整プレート６３を枠ケース６２にビス５で固定する。このようなやり方で調整することにより、調整通りに建て付けができる。
【００３８】
【発明の効果】
本発明の扉開閉装置によれば、固定枠に対する扉体の前後方向の建て付け調整において、調整通りの建て付けができる。
【図面の簡単な説明】
【図１】  本実施の形態に係る第１例の扉開閉装置の使用状態を示す斜視概略構成図である。
【図２】  図２の装置に係る第１係合部材Ａの構成図である。
【図３】  図２の装置の静止機構の動作説明図である。
【図４】  図２の装置の動作説明図である。
【図５】  本実施の形態に係る第２例の扉開閉装置の第１係合部材Ａの構成図である。
【図６】  図５の装置の動作説明図である。
【図７】  第１例の変形形態に係る扉開閉装置の第１係合部材Ａの構成図である。
【図８】  図８の装置の動作説明図である。
【図９】  図５の装置の静止機構とは異なる静止機構を備えた装置に係る第１係合部材Ａの構成図である。
【図１０】  本実施の形態に係る第３例の扉開閉装置の第１係合部材Ａの構成図である。
【図１１】  図１０の装置の動作説明図である。
【図１２】  本実施の形態に係る第４例の扉開閉装置の第１係合部材Ａの構成図である。
【図１３】  図１２の装置の動作説明図である。
【図１４】  本実施の形態に係る第５例の扉開閉装置の第１係合部材Ａの構成図である。
【図１５】  図１４の装置の動作説明図である。
【図１６】従来の扉開閉装置の構成図である。
【図１７】従来の扉開閉装置の構成図である。
【図１８】従来の扉開閉装置の構成図である。
【符号の説明】
１，２０，４０，５０，６０            扉開閉装置
２                                    固定枠
３，２５，３１，５３，６２            枠ケース
３ｃ，２６ａ                          穿設孔
４                                    取付プレート
６，２６，３２，４２，５４，６３      調整プレート
６ｃ，２５ａ，５３ａ，６３ａ，６３ｂ  作動孔
８，２３，３４，４４，５６，６７      円筒部材
９，２４，５８，６９ａ，６９ｂ        作動ピン
１０，３３                            アーム
１１，２１，３０                      クランク部材
１２，２２，３５                      静止機構
１３                                  歯付き座金（歯付き部）
１４                                  スプリング（付設手段）
１５，２７                            凹部
３６                                  セレーション歯付き平板（歯付き部）
３７                                  セレーション歯刻部（凹部）
４１，５１，６１                      歯車機構
４３，５２（５５），６４（６５）      調整ラック
４５，５７，６６                      調整ピニオン
５４ａ                                スリット
６８                                  穿設溝
６８ａ                                溝壁
【図１】
0003772036.tif 000002
【図２】
0003772036.tif 000003
【図３】
0003772036.tif 000004
【図４】
0003772036.tif 000005
【図５】
0003772036.tif 000006
【図６】
0003772036.tif 000007
【図７】
0003772036.tif 000008
【図８】
0003772036.tif 000009
【図９】
0003772036.tif 000010
【図１０】
0003772036.tif 000011
【図１１】
0003772036.tif 000012
【図１２】
0003772036.tif 000013
【図１３】
0003772036.tif 000014
【図１４】
0003772036.tif 000015
【図１５】
0003772036.tif 000016
【図１６】
0003772036.tif 000017
【図１７】
0003772036.tif 000018
【図１８】
0003772036.tif 000019